(57)【要約】【課題】システムの信頼度を保ちながら実環境に近い訓練環境を提供することが可能な変電所監視制御システム、電鉄用変電所監視制御システム、および持ち運び可能な計算機を得る。【解決手段】操作卓１，２には、操作卓用ソフトウェア３０と仮想中央処理用ソフトウェア４０が設けられ、操作卓用ソフトウェア３０は、接続管理部３１と、ネットワーク切替部３３と、モード指令出力部３２と、を備え、接続管理部３１は、訓練モードの時、操作卓用ソフトウェア３０と各中央処理装置６，７と間の論理的な接続を分離し、ネットワーク切替部３３は、通信系サブネットワーク１０のアドレスから訓練用サブネットワーク１１のアドレスに切り替え、モード指令出力部３２は、訓練遷移指令を仮想中央処理用ソフトウェア４０に対して出力する。【選択図】図２
2014048639.tif 000002
【特許請求の範囲】
【請求項１】
変電所内に設置された変電所装置に制御指令信号を送信して前記変電所装置の制御を行うと共に、前記変電所装置から送信された状態情報を収集する冗長化された複数の中央処理装置と、前記各中央処理装置に制御指令信号を出力することにより前記変電所装置を監視制御する複数の操作卓と、を備えた変電所監視制御システムであって、
前記各操作卓には、操作卓としての機能を実現する操作卓機能実行部が設けられ、
前記各操作卓の少なくとも１つには、前記中央処理装置の動作を模擬する仮想中央処理機能実行部が設けられ、
前記操作卓機能実行部は、
前記各操作卓と前記各中央処理装置と間の論理的な接続を管理する接続管理部と、
前記操作卓機能実行部と前記各中央処理装置と間の第１のサブネットワークのアドレスと、前記操作卓機能実行部と前記仮想中央処理機能実行部との間の第２のサブネットワークのアドレスとを切り替えるネットワーク切替部と、
前記中央処理装置の動作を模擬させる模擬指令を前記仮想中央処理機能実行部に対して出力する指令出力部と、
を備え、
前記仮想中央処理機能実行部を用いて訓練を行うとき、
前記接続管理部は、前記操作卓機能実行部と前記各中央処理装置と間の論理的な接続を分離し、
前記ネットワーク切替部は、前記第１のサブネットワークのアドレスから前記第２のサブネットワークのアドレスに切り替え、
前記指令出力部は、前記模擬指令を前記仮想中央処理機能実行部に対して出力することを特徴とする変電所監視制御システム。
【請求項２】
前記各中央処理装置は、中央処理装置としての機能を実現する中央処理機能実行部を有し、
前記中央処理機能実行部は、前記接続管理部による分離動作を検知したとき、前記操作卓機能実行部が停止したものとして扱う構成管理部を備えたことを特徴とする請求項１に記載の変電所監視制御システム。
【請求項３】
前記接続管理部は、前記操作卓機能実行部で管理される最新の前記状態情報を、前記第２のサブネットワークを介して、前記仮想中央処理機能実行部に転送することを特徴とする請求項１または２に記載の変電所監視制御システム。
【請求項４】
前記各操作卓には、前記操作卓機能実行部と前記仮想中央処理機能実行部とが設けられていることを特徴とする請求項１〜３の何れか１つに記載の変電所監視制御システム。
【請求項５】
請求項１〜４の何れか１つに記載の前記各操作卓と前記各中央処理装置と前記第１のサブネットワークと前記第２のサブネットワークとを備えたことを特徴とする電鉄用変電所監視制御システム。
【請求項６】
請求項１〜５の何れか１つに記載の前記操作卓機能実行部と前記仮想中央処理機能実行部とを備えたことを特徴とする持ち運び可能な計算機。
【発明の詳細な説明】
【技術分野】
【０００１】
本発明は、変電所監視制御システム、電鉄用変電所監視制御システム、および持ち運び可能な計算機。
【背景技術】
【０００２】
変電所監視制御システムは、変電所内に設置された変電所装置の集中管理を行う中央処理装置（Main Processor、以下「ＭＰ」）と、保守作業時の停電操作や送電操作を行う操作卓とを有して構成され、これらの装置がＬＡＮ（Local Area Network）等のネットワークに接続されている。電力系統において架線の短絡や地絡等の事故が発生した場合、指令員は操作卓の適切な操作を行うことにより、変電所装置を遠隔制御して電力系統を迅速に復旧させる必要がある。ただし、操作卓の適切な操作を行うためには指令員の教育訓練が重要であり、充実した訓練を行う為にはより実環境に近い教育環境が必要である。一方、システムを安定的に稼動させるためには、運用中のシステムに影響を与えない構成も必要である。
【０００３】
従来の変電所監視制御システムではＭＰが二重系で構成され、制御モードから訓練モードに切り換えられたときに、一方の系のＭＰが制御モードで運用し、他方の系のＭＰが訓練モードで運用する。すなわち、実環境下にあるＭＰおよび操作卓が訓練モードに切り替えられたとき、これらのＭＰおよび操作卓から運用中の機器に対する制御指令信号の出力を抑止（または停止）することで、訓練環境を構築している。ただし、この場合、訓練モード時のＭＰはシングル運転となり、システムの信頼度が落ちる。
【０００４】
システムの信頼度を確保するため、下記特許文献１に記される従来技術では、１つの計算機内に制御モード用のＭＰ（実プロセス制御システム）と、実プロセス制御システムの動作を模擬する仮想ＭＰ（仮想プロセス制御システム）とが設けられ、これらのＭＰを同時に動かすことで訓練環境を構築している。この構成を上記の二重系のＭＰに適用することによって、ＭＰの二重系運転を確保しながら変電所設備の運転訓練を行うことができる。
【先行技術文献】
【特許文献】
【０００５】
【特許文献１】特開２００３−２４１６３８号公報（段落「０００６」、段落「００１２」、図１など）
【発明の概要】
【発明が解決しようとする課題】
【０００６】
しかしながら上記特許文献１に示される従来技術では、制御モードと訓練モードが同時に動作するため、これらの動作を司るＣＰＵの負荷率が増し、運用中のシステムに影響を与えかねない。このように上記特許文献１に示される従来技術は、システムの信頼度を保ちながら実環境に近い訓練環境を提供することが困難という課題があった。
【０００７】
本発明は、上記に鑑みてなされたものであって、システムの信頼度を保ちながら実環境に近い訓練環境を提供することが可能な変電所監視制御システム、電鉄用変電所監視制御システム、および持ち運び可能な計算機を得ることを目的とする。
【課題を解決するための手段】
【０００８】
上述した課題を解決し、目的を達成するために、本発明は、変電所内に設置された変電所装置に制御指令信号を送信して前記変電所装置の制御を行うと共に、前記変電所装置から送信された状態情報を収集する冗長化された複数の中央処理装置と、前記各中央処理装置に制御指令信号を出力することにより前記変電所装置を監視制御する複数の操作卓と、を備えた変電所監視制御システムであって、前記各操作卓には、操作卓としての機能を実現する操作卓機能実行部が設けられ、前記各操作卓の少なくとも１つには、前記中央処理装置の動作を模擬する仮想中央処理機能実行部が設けられ、前記操作卓機能実行部は、前記各操作卓と前記各中央処理装置と間の論理的な接続を管理する接続管理部と、前記操作卓機能実行部と前記各中央処理装置と間の第１のサブネットワークのアドレスと、前記操作卓機能実行部と前記仮想中央処理機能実行部との間の第２のサブネットワークのアドレスとを切り替えるネットワーク切替部と、前記中央処理装置の動作を模擬させる模擬指令を前記仮想中央処理機能実行部に対して出力する指令出力部と、を備え、前記仮想中央処理機能実行部を用いて訓練を行うとき、前記接続管理部は、前記操作卓機能実行部と前記各中央処理装置と間の論理的な接続を分離し、前記ネットワーク切替部は、前記第１のサブネットワークのアドレスから前記第２のサブネットワークのアドレスに切り替え、前記指令出力部は、前記模擬指令を前記仮想中央処理機能実行部に対して出力することを特徴とする。
【発明の効果】
【０００９】
この発明によれば、仮想的な中央処理装置としての機能を実現する仮想中央処理用ソフトウェアを操作卓に設けるようにしたので、システムの信頼度を保ちながら実環境に近い訓練環境を提供することができる、という効果を奏する。
【図面の簡単な説明】
【００１０】
【図１】図１は、本発明の実施の形態に係る変電所監視制御システムの構成例を示す図である。
【図２】図２は、操作卓および中央処理装置の詳細図である。
【図３】図３は、訓練開始時の動作を示すフローチャートである。
【発明を実施するための形態】
【００１１】
以下に、本発明に係る変電所監視制御システム、電鉄用変電所監視制御システム、および持ち運び可能な計算機の実施の形態を図面に基づいて詳細に説明する。なお、この実施の形態によりこの発明が限定されるものではない。
【００１２】
実施の形態．
図１は、本発明の実施の形態に係る変電所監視制御システム１００の構成例を示す図である。変電所監視制御システム１００は、主たる構成として、操作卓１、操作卓２、遠隔監視制御装置３、中央処理装置６、中央処理装置７、および複数の変電所装置５−１〜５−ｎ（ｎは１以上の整数。以下「変電所装置５」と称する）とを有して構成されている。
【００１３】
操作卓１，２と中央処理装置６，７と遠隔監視制御装置３は、例えば中央指令所内に設置され、ＬＡＮ等の通信系サブネットワーク１０で相互に接続されている。遠隔監視制御装置３は、変電所側と指令所側の間に介在し、ネットワーク（１０、１２）の双方に接続されている。中央処理装置６，７は、この遠隔監視制御装置３を介して、公衆回線網あるいは専用線等の通信ネットワーク１２と接続されている。なお、ネットワーク（１０，１２）は例えばＩＰ（Internet Protocol）ネットワークであり、操作卓１，２、中央処理装置６，７、遠隔監視制御装置３は、それぞれＩＰアドレスが割り振られている。
【００１４】
変電所装置５は、通信ネットワーク１２を介して遠隔監視制御装置３に接続されている。変電所装置５は、遮断器、断路器等の各種機器を総括して表している。
【００１５】
操作卓１，２は、後述するように、操作卓としての機能を実現する操作卓用ソフトウェア３０（以下「操作卓Ｓ／Ｗ３０」）と、中央処理装置の動作を模擬するソフトウェアである仮想中央処理用ソフトウェア４０（以下「仮想ＭＰＳ／Ｗ４０」）とを有し、これらのソフトウェアにしたがって動作するコンピュータ、データの入出力手段などから成る。
【００１６】
操作卓としての機能は、指令員が操作卓１，２を操作したときに、この操作に応じて変電所装置５（例えば変電所内の遮断器や断路器）を操作制御するための制御指令信号１ａを生成し、中央処理装置６，７に対して送信する機能である。
【００１７】
また、中央処理装置６，７としての機能は、制御指令信号１ａに基づいて、変電所装置５を制御するための制御指令信号６ａ（例えば変電所内の遮断器や断路器の開閉操作信号）を生成して遠隔監視制御装置３に対して送信すると共に、変電所装置５から出力された状態情報５ａ（例えば遮断器がＯＮ状態であるかＯＦＦ状態であるかなど）を集約する機能である。
【００１８】
また、仮想的な中央処理装置としての機能とは、指令員による操作卓１，２の操作訓練を行うため、実運用中の中央処理装置６，７を用いることなく、仮想的に変電所装置５を制御する機能である。
【００１９】
なお、複数の操作卓１，２が設けられている理由は、操作卓機能実行部（３０）により実際の変電所装置５の制御と監視を行いながら、仮想中央処理機能実行部（４０）により操作卓で訓練を実施するためである。
【００２０】
本実施の形態では、一例として両方の操作卓１，２にも仮想ＭＰＳ／Ｗ４０が設けられているが、何れか一方の操作卓に仮想ＭＰＳ／Ｗ４０を設けるようにしてもよい。両方の操作卓１，２に仮想ＭＰＳ／Ｗ４０が設けられている場合に比べて利便性が下がるものの、このように構成した場合でも、本実施の形態の効果を得ることができる。
【００２１】
中央処理装置６，７は、中央処理装置用ソフトウェア５０（以下「ＭＰＳ／Ｗ５０」）にしたがって動作するコンピュータ、データの入出力手段などから成り、二重系運転が行われる。中央処理装置６は、例えば制御モードで動作する主系装置であり、操作卓１または操作卓２と接続されることで変電所装置５の制御および監視が行われる。中央処理装置７は、待機モード（ホットスタンバイ）で動作する従系装置であり、中央処理装置６が制御モードで動作しているとき、中央処理装置６と同様に状態情報５ａの収集を行うなどのバックアップ作業を行っている。中央処理装置７は、中央処理装置６と同様のハードウェア構成を有し、ＭＰＳ／Ｗ５０にしたがって動作している。この構成により、例えば中央処理装置６に何らかの障害が発生した場合でも、中央処理装置７により変電所装置５の制御および監視を継続することができる。
【００２２】
遠隔監視制御装置３は、中央処理装置６，７からの制御指令信号６ａを集約して変電所装置５へ送信すると共に、変電所装置５からの状態情報５ａを集約して中央処理装置６，７へ送信する。そのため、中央処理装置６，７から制御指令信号６ａは、遠隔監視制御装置３を介して変電所装置５に入力される。また、変電所装置５からの状態情報５ａは、遠隔監視制御装置３を介して中央処理装置６，７に入力された後、操作卓１，２へそれぞれ入力される。
【００２３】
なお、変電所装置５が大規模であるとき、中央処理装置６，７と変電所装置５との間で授受される情報量が多くなりネットワーク負荷が大きくなるが、遠隔監視制御装置３を設けることにより、一度情報を集約した後に送信されるため、ネットワーク負荷が抑制される。
【００２４】
図２は、操作卓１，２および中央処理装置６，７の詳細図である。操作卓１，２は、それぞれ操作卓Ｓ／Ｗ３０と仮想ＭＰＳ／Ｗ４０を有し、操作卓Ｓ／Ｗ３０では、最新の状態情報５ａがカレントファイル３４として管理される。操作卓Ｓ／Ｗ３０は、構成管理部３１、モード指令出力部３２、ネットワーク切替部３３を有し、仮想ＭＰＳ／Ｗ４０は構成管理部４１を有する。
【００２５】
接続管理部３１は、操作卓用ソフトウェア３０と各中央処理装置６，７と間の論理的な接続を管理する。例えば、非訓練時（制御モード）においては、接続管理部３１は、操作卓用ソフトウェア３０で実現される操作卓機能と中央処理装置６，７とを論理的に接続する。また、制御モードから訓練モードに変更されたとき、接続管理部３１は、操作卓用ソフトウェア３０で実現される操作卓機能と中央処理装置６，７と間の論理的な接続を分離する。
【００２６】
ネットワーク切替部３３は、操作卓用ソフトウェア３０と中央処理装置６，７と間の通信系サブネットワーク１０（第１のサブネットワーク）のアドレスと、操作卓用ソフトウェア３０と仮想中央処理用ソフトウェア４０との間の訓練用サブネットワーク１１（第２のサブネットワーク）のアドレスとを切り替える。例えば制御モードから訓練モードに変更されたとき、ネットワーク切替部３３は、通信系サブネットワーク１０のアドレスから訓練用サブネットワーク１１のアドレスに切り替る。
【００２７】
モード指令出力部３２は、仮想中央処理用ソフトウェア４０に対して、中央処理装置６，７の動作を模擬させる模擬指令（訓練モード遷移指令）を出力する。構成管理部４１は、この訓練モード遷移指令を受信したとき、訓練モード遷移を行う。
【００２８】
中央処理装置６，７は、それぞれＭＰＳ／Ｗ５０を有し、ＭＰＳ／Ｗ５０では、最新の状態情報５ａがカレントファイル５２として管理される。ＭＰＳ／Ｗ５０は構成管理部５１を有し、この構成管理部５１は、例えば接続管理部３１による分離動作を検知したとき、操作卓用ソフトウェア３０で実現される操作卓機能が停止したものとして扱う。
【００２９】
以下、変電所監視制御システム１００の動作を説明する。まず、制御モードの場合の動作を説明する。操作卓１の画面において操作対象（例えば変電所装置５−１）が指定されたとき、操作卓Ｓ／Ｗ３０が動作することで発揮される操作卓機能により、制御指令信号１ａが生成され、生成された制御指令信号１ａが中央処理装置６で受信される。
【００３０】
制御指令信号１ａを受信した中央処理装置６では、ＭＰＳ／Ｗ５０が動作することで発揮される中央処理機能により、変電所装置５−１を制御するための制御指令信号６ａが生成される。制御指令信号６ａは、遠隔監視制御装置３を介して変電所装置５−１に送信され、制御指令信号６ａを受信した変電所装置５−１が、制御指令信号６ａに応じた動作を行い、その動作状態を状態情報５ａとして出力する。
【００３１】
状態情報５ａは、遠隔監視制御装置３を介して中央処理装置６に受信されると共に、操作卓１にも受信される。状態情報５ａを受信した操作卓１，２では、操作卓機能により、操作卓１の画面に変電所装置５−１の動作状態が表示される。このことにより、指令員は変電所装置５−１の状態を監視することができる。
【００３２】
次に、訓練モード時の動作を説明する。図３は、訓練開始時の動作を示すフローチャートである。例えば操作卓１の画面において訓練開始釦が押下されたとき、訓練開始操作信号がモード指令出力部３２で受信され、この信号を受信したモード指令出力部３２は、構成管理部３１に対して訓練開始通知を送信する（ステップＳ１）。
【００３３】
訓練開始通知を受信した構成管理部３１は、通信系サブネットワーク１０を操作卓１から切り離す（ステップＳ２）。このとき、中央処理装置６の構成管理部５１は、モード指令出力部３２からの訓練開始通知を受信したとき、あるいは構成管理部３１による切り離しを検知したとき、操作卓１をシステムから除くことにより、操作卓１が停止したものとして扱う。この動作により、訓練で使用される操作卓１が中央処理装置６，７と分離され、操作卓１からの制御指令信号１ａにより中央処理装置６，７が動作する虞がなくなり、システムの信頼度を高めることができる。
【００３４】
その後、ネットワーク切替部３３が、通信系サブネットワーク１０のＩＰアドレスを訓練用サブネットワーク１１のＩＰアドレスに切り替える（ステップＳ３）。この動作により、訓練で使用される訓練用サブネットワーク１１が通信系サブネットワーク１０と論理的に分離される。従って、訓練時の操作卓１が実運用中の中央処理装置６，７から分離され、中央処理装置６，７が訓練モードで動作する虞がなくなり、システムの信頼度を高めることができる。
【００３５】
次に、モード指令出力部３２が構成管理部４１に対して訓練モード遷移指令を送信し（ステップＳ４）、訓練モード遷移指令を受信した構成管理部４１は訓練モード遷移を行う（ステップＳ５）。訓練モード遷移の後、構成管理部３１は、仮想ＭＰＳ／Ｗ４０との接続を行い、例えば訓練用サブネットワーク１１を介して、操作卓Ｓ／Ｗ３０で管理されるカレントファイル３４を仮想ＭＰＳ／Ｗ４０に転送する（ステップＳ６）。この動作により、オンラインの系統状態（すなわち現在の状態情報５ａ）を訓練用に展開でき、仮想ＭＰＳ／Ｗ４０では最新の状態情報５ａを用いて訓練を開始することができる。従って、実際の系統状態に近い環境で訓練を提供することができる。
【００３６】
このように、本実施の形態の変電所監視制御システム１００は、操作卓１，２が操作卓Ｓ／Ｗ３０と仮想ＭＰＳ／Ｗ４０とを有すると共に、操作卓Ｓ／Ｗ３０が構成管理部３１、モード指令出力部３２、ネットワーク切替部３３などの機能を有することによって、操作卓１において中央処理装置６の動作を模擬することができる。そのため、中央処理装置６が訓練モードで動作することがなく、中央処理装置６，７の二重系運転を継続することができる。
【００３７】
また、変電所監視制御システム１００では、中央処理装置６，７の動作を司るＣＰＵ（図示せず）に訓練モードの負荷がかからないため、このＣＰＵの負荷率が軽減され、運用中のシステムへの影響を緩和することができる。
【００３８】
また、変電所監視制御システム１００では、訓練モード時に訓練用サブネットワーク１１から通信系サブネットワーク１０に切り替えられるため、運用系ＭＰは仮想ＭＰの存在を意識する必要が無く、仮想ＭＰも運用系ＭＰの存在を意識する必要が無くなる。そのため、例えば、仮想ＭＰＳ／Ｗ４０が更新される度にＭＰＳ／Ｗ５０を更新するという作業が不要になり、システムの信頼度が向上する。
【００３９】
なお、変電所監視制御システム１００では、通信系サブネットワーク１０と通信ネットワーク１２との間に遠隔監視制御装置３が設けられているが、変電所監視制御システム１００の構成はこれに限定されるものではない。例えば変電所装置５が比較的小規模の場合、中央処理装置６，７と変電所装置５との間で授受される情報量が少ないため、遠隔監視制御装置３を用いなくてもよい。
【００４０】
なお、変電所監視制御システム１００では、仮想ＭＰＳ／Ｗ４０が最新の状態情報５ａを用いて訓練を開始する例を説明したが、仮想ＭＰＳ／Ｗ４０で使用される状態情報５ａは最新のものでなくてもよい。最新の状態情報５ａを用いたほうが実際の環境の近い状態で訓練することができるが、例えば数時間程度前に記録された状態情報５ａを用いても、システムの信頼度を保ちながら運用状態に近い訓練環境を得ることは可能である。
【００４１】
なお、変電所監視制御システム１００は、あらゆる変電所装置５に適用可能であるが、特に電鉄用の変電所装置に適用した場合、列車運行に影響を与えることなく指令員の充実した訓練を実現することができる。
【００４２】
なお、本実施の形態では、指令所に設置された操作卓１，２を用いて訓練モードを実現する構成例を説明したが、例えば、通信系サブネットワーク１０とは独立した持ち運び可能な計算機（例えばノートパソコンなど）に、操作卓Ｓ／Ｗ３０および仮想ＭＰＳ／Ｗ４０を設けるように構成してもよい。操作卓１，２は持ち運びが出来ないため、操作卓１，２を用いて変電所監視制御システム１００では訓練の場所が指令所内に制約される。しかしながら、ノートパソコンなどに操作卓Ｓ／Ｗ３０や仮想ＭＰＳ／Ｗ４０を保存することにより、時間や場所が制約されること無く、また運用中の操作卓１，２を占有することなく訓練が可能となる。また、この計算機は、通信系サブネットワーク１０に常時接続されているものではないため、ネットワーク切替部３３が不要になり、操作卓Ｓ／Ｗ３０の信頼度を高めることができる。
【００４３】
以上に説明したように本実施の形態に係る変電所監視制御システム１００は、変電所内に設置された変電所装置５に制御指令信号６ａを送信して変電所装置５の制御を行うと共に、変電所装置５から送信された状態情報５ａを収集する冗長化された複数の中央処理装置６，７と、各中央処理装置６，７に制御指令信号ａを出力することにより変電所装置５を監視制御する複数の操作卓１，２とを備えた変電所監視制御システム１００であって、各操作卓１，２には、操作卓としての機能を実現する操作卓機能実行部（３０）が設けられ、各操作卓操作卓１，２の少なくとも１つには、中央処理装置の動作を模擬する仮想中央処理機能実行部（４０）が設けられ、操作卓機能実行部（３０）は、各操作卓操作卓１，２と各中央処理装置６，７と間の論理的な接続を管理する接続管理部３１と、操作卓機能実行部（３０）と各中央処理装置６，７と間の第１のサブネットワーク（１０）のアドレスと、操作卓機能実行部（３０）と仮想中央処理機能実行部（４０）との間の第２のサブネットワーク（訓練用サブネットワーク１１）のアドレスとを切り替えるネットワーク切替部３３と、中央処理装置６，７の動作を模擬させる模擬指令（訓練モード指令）を仮想中央処理機能実行部４０に対して出力する指令出力部（３２）と、を備え、仮想中央処理機能実行部（４０）を用いて訓練を行うとき、接続管理部３１は、操作卓機能実行部（３０）と各中央処理装置６，７と間の論理的な接続を分離し、ネットワーク切替部３３は、第１のサブネットワークのアドレスから第２のサブネットワークのアドレスに切り替え、指令出力部は、模擬指令を仮想中央処理機能実行部（４０）に対して出力するように構成されている。この構成により、制御モードから訓練モードに変更された場合でも、中央処理装置６，７の二重系運転を継続することができると共に、通信系サブネットワーク１０の回線負荷が軽減されるため、中央処理装置６，７のＣＰＵ負荷率が上昇する虞がなく、システムの信頼度を高めることができる。
【００４４】
また、本実施の形態に係る中央処理装置６，７は、中央処理装置６，７としての機能を実現する中央処理機能実行部（５０）を有し、中央処理機能実行部（５０）は、接続管理部３１による分離動作を検知したとき、操作卓機能実行部（３０）が停止したものとして扱う構成管理部５１を備えるようにしたので、訓練モード時に操作卓１からの制御指令信号１ａにより中央処理装置６，７が動作する虞がなくなり、システムの信頼度を高めることができる。
【００４５】
また、本実施の形態に係る接続管理部３１は、操作卓機能実行部（３０）で管理される最新の状態情報５ａ（カレントファイル３４）を、第２のサブネットワーク（１１）を介して、仮想中央処理機能実行部（４０）に転送するようにしたので、仮想中央処理機能実行部（４０）では最新の状態情報５ａを用いて訓練を行うことができ、現在の機器の状態に近い環境で訓練を提供することができる。
【００４６】
また、本実施の形態に係る各操作卓１，２には、操作卓機能実行部（３０）と仮想中央処理機能実行部（４０）とが設けられているので、何れかの操作卓（例えば操作卓１）が使用されている場合でも他方の操作卓により訓練が行えるため、利便性を高めることができる。
【００４７】
なお、本願発明は、本実施の形態に限定されるものではなく、実施段階ではその要旨を逸脱しない範囲で種々に変形することが可能である。また、本実施の形態には、種々の段階の発明が含まれており、開示される複数の構成要件における適宜な組み合わせにより、種々の発明が抽出されうる。例えば、本実施の形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出されうる。更に、異なる実施の形態にわたる構成要素を適宜組み合わせてもよい。
【産業上の利用可能性】
【００４８】
以上のように、本発明は、変電所監視制御システムに適用可能であり、特に、システムの信頼度を保ちながら実環境に近い訓練環境を提供することができる発明として有用である。
【符号の説明】
【００４９】
１，２  操作卓、１ａ，６ａ  制御指令信号、３  遠隔監視制御装置、５−１，５−２，５−ｎ  変電所装置、５ａ  状態情報、６，７  中央処理装置、１０  通信系サブネットワーク、１１  訓練用サブネットワーク、１２  通信ネットワーク、３０  操作卓用ソフトウェア、３１，５１  構成管理部、３２  モード指令出力部、３３  ネットワーク切替部、３４，５２  カレントファイル、４０  仮想中央処理用ソフトウェア、４１，５１  構成管理部、５０  中央処理装置用ソフトウェア。
【図１】
2014048639.tif 000003
【図２】
2014048639.tif 000004
【図３】
2014048639.tif 000005